(57)【要約】【課題】外部から入力される外部情報よりユーザの感情を読み取って、その場に合った待受画像を自動的に設定することが可能な携帯端末装置を提供することを目的とする。【解決手段】  本発明の携帯端末装置１００は、複数の待受画像が所定の感情と関連付けられて記憶された記憶部１０４と、複数の待受画像のいずれかを表示する表示部１２６と、外部から入力される外部情報を取得する外部情報取得部１１０と、外部情報と照合可能な参照情報と、これに対応する感情とを関連付けて記憶する感情データテーブル１０８と、外部情報が参照情報に該当するか否かの照合を行い、該照合の結果に基づいてユーザの感情値を判定する感情判定部１２８と、表示部１２６に表示される待受画像を感情値に基づいて選択する画像選択部１３０とを備えることを特徴とする。【選択図】図５
2011176564.tif 000002
【特許請求の範囲】
【請求項１】
複数の待受画像が所定の感情と関連付けられて記憶された記憶部と、
前記複数の待受画像のいずれかを表示する表示部と、
外部から入力される外部情報を取得する外部情報取得部と、
前記外部情報と照合可能な参照情報と、これに対応する感情とを関連付けて記憶する感情データテーブルと、
前記外部情報が前記参照情報に該当するか否かの照合を行い、該照合の結果に基づいてユーザの感情値を判定する感情判定部と、
前記表示部に表示される待受画像を前記感情値に基づいて選択する画像選択部と、
を備えることを特徴とする携帯端末装置。
【請求項２】
前記感情データテーブルは前記参照情報として特定の事物を記憶し、
前記外部情報取得部は、被写体を撮像した撮像画像を前記外部情報として取得する撮像部を含み、
前記感情判定部が、前記撮像画像の画像解析により前記特定の事物との照合を行い、前記感情値を判定することを特徴とする請求項１に記載の携帯端末装置。
【請求項３】
前記感情データテーブルは前記参照情報として特定のキーワードを記憶し、
前記外部情報取得部は、音声を前記外部情報として取得する音声入力部を含み、
前記感情判定部が、前記音声の音声認識により前記特定のキーワードとの照合を行い、前記感情値を判定することを特徴とする請求項１に記載の携帯端末装置。
【請求項４】
前記感情データテーブルは前記参照情報として特定の加速度範囲を記憶し、
前記外部情報取得部は、当該携帯端末装置の加速度を前記外部情報として取得する加速度センサを含むことを特徴とする請求項１に記載の携帯端末装置。
【請求項５】
前記感情データテーブルは前記参照情報として特定の位置情報を記憶し、
前記外部情報取得部は、当該携帯端末装置の位置情報を前記外部情報として取得する位置情報取得部を含むことを特徴とする請求項１に記載の携帯端末装置。
【請求項６】
前記感情データテーブルには、前記参照情報ごとに感情パラメータが記憶されていて、
前記感情判定部は、前記照合の結果、前記外部情報に含まれる前記参照情報との一致要素すべての前記感情パラメータを抽出し、該感情パラメータを演算することにより前記感情値を判定することを特徴とする請求項１から５のいずれか１項に記載の携帯端末装置。
【請求項７】
所定の時間ごとに前記画像選択部に前記待受画像を切り替えさせるタイマ部をさらに備えることを特徴とする請求項１から６のいずれか１項に記載の携帯端末装置。
【請求項８】
前記待受画像を消去または他の待受画像に切替可能なリセットスイッチをさらに備えることを特徴とする請求項１から７のいずれか１項に記載の携帯端末装置。
【発明の詳細な説明】
【技術分野】
【０００１】
本発明は、携帯電話やＰＨＳなどの携帯端末装置に関する。
【背景技術】
【０００２】
携帯電話やＰＨＳ（Personal Handy phone System）、ＰＤＡ（Personal Digital Assistant）等の携帯端末装置は、一般に、ユーザ自身によって各種設定をカスタマイズできるように構成されている。例えば、非操作時に表示される待受画像（壁紙）や着信音、付属や別売りのパネル等で外装もアレンジ可能となっている。
【０００３】
上記待受画像は、従来、ユーザ自身の手動操作によって設定されるか、特定のフォルダに保存された画像よりランダムに設定されていた。その一方で、昨今、メールなどの文書中に含まれる単語の感情表現からユーザの感情を自動的に判定し、その感情をアイコン等で表示する技術が提案されている（例えば、特許文献１参照）。
【先行技術文献】
【特許文献】
【０００４】
【特許文献１】特開２００２−２３００１１号公報
【発明の概要】
【発明が解決しようとする課題】
【０００５】
上記待受画像を手動操作によって設定させる場合には、ユーザが煩わしさを感じてしまうおそれがある。一方、端末がランダムに待受画像を設定する場合には、ユーザの好みに合った画像が表示されないおそれがある。
【０００６】
特許文献１に記載の技術では文字情報からしかユーザの感情を判定できず、文書以外にもユーザが入力する多様な情報に対応しきれていない。
【０００７】
本発明はこのような課題に鑑みてなされたものであり、ユーザに対し好適な待受画像を自動的に設定することが可能な携帯端末装置を提供することを目的とする。
【課題を解決するための手段】
【０００８】
上記課題を解決するために、本発明にかかる携帯端末装置の代表的な構成は、複数の待受画像が所定の感情と関連付けられて記憶された記憶部と、複数の待受画像のいずれかを表示する表示部と、外部から入力される外部情報を取得する外部情報取得部と、外部情報と照合可能な参照情報と、これに対応する感情とを関連付けて記憶する感情データテーブルと、外部情報が参照情報に該当するか否かの照合を行い、この照合の結果に基づいてユーザの感情値を判定する感情判定部と、表示部に表示される待受画像を感情値に基づいて選択する画像選択部とを備えることを特徴とする。
【０００９】
かかる構成によれば、外部から入力される外部情報よりユーザの感情値を判定して、ユーザの感情にふさわしいと考えられる待受画像を自動的に設定することができる。これより、違和感を与えることなく、ユーザに楽しさや新鮮さを味わわせることができる。
【００１０】
上記感情データテーブルは参照情報として特定の事物を記憶し、外部情報取得部は、被写体を撮像した撮像画像を外部情報として取得する撮像部を含み、感情判定部が、撮像画像の画像解析により特定の事物との照合を行い、感情値を判定するとよい。
【００１１】
かかる構成では、撮像画像に含まれる事物に基づき、ユーザの感情値を判定して待受画像を設定することができる。これにより、適宜、ユーザに対し好適な待受画像を表示することが可能となる。
【００１２】
上記感情データテーブルは参照情報として特定のキーワードを記憶し、外部情報取得部は、音声を外部情報として取得する音声入力部を含み、感情判定部が、音声の音声認識により特定のキーワードとの照合を行い、感情値を判定するとよい。
【００１３】
かかる構成では、音声に含まれるキーワードに基づき、ユーザの感情値を判定して待受画像を設定することができる。これにより、適宜、ユーザに対し好適な待受画像を表示することが可能となる。
【００１４】
上記感情データテーブルは参照情報として特定の加速度範囲を記憶し、外部情報取得部は、当該携帯端末装置の加速度を外部情報として取得する加速度センサを含むとよい。
【００１５】
かかる構成によれば、加速度センサが検知する加速度に基づき、ユーザの感情値を判定して待受画像を設定することができる。これにより、適宜、ユーザに対し好適な待受画像を表示することが可能となる。
【００１６】
上記感情データテーブルは参照情報として特定の位置情報を記憶し、外部情報取得部は、当該携帯端末装置の位置情報を外部情報として取得する位置情報取得部を含むとよい。
【００１７】
かかる構成によれば、位置情報取得部が取得する位置情報に基づき、ユーザの感情値を判定して待受画像を設定することができる。これにより、適宜、ユーザに対し好適な待受画像を表示することが可能となる。
【００１８】
上記感情データテーブルには、参照情報ごとに感情パラメータが記憶されていて、感情判定部は、照合の結果、外部情報に含まれる参照情報との一致要素すべての感情パラメータを抽出し、この感情パラメータを演算することにより感情値を判定するとよい。
【００１９】
かかる構成によれば、感情値を高精度で判定することが可能である。これより、ユーザに対し表示する待受画像のミスマッチを低減することができる。
【００２０】
当該携帯端末装置は、所定の時間ごとに上記画像選択部に待受画像を切り替えさせるタイマ部をさらに備えるとよい。
【００２１】
かかる構成によれば、所定の時間ごとに待受画像を切り替えることができるため、ユーザの飽きを防ぐことができる。
【００２２】
当該携帯端末装置は、上記待受画像を消去または他の待受画像に切替可能なリセットスイッチをさらに備えるとよい。
【００２３】
かかる構成によれば、ユーザの好みに合わなかったり、他人に見られたくなかったりする待受画像が表示されたとしても、この画像を消去または他の画像に切り替えることができる。
【発明の効果】
【００２４】
本発明によれば、外部から入力される外部情報よりユーザの感情を読み取って、その場に合った待受画像を自動的に設定することが可能な携帯端末装置を提供することができる。
【図面の簡単な説明】
【００２５】
【図１】本実施形態にかかる携帯端末装置の概略構成を示す機能ブロック図である。
【図２】図１の携帯端末装置の外観図である。
【図３】図１の感情データテーブルを例示する図である。
【図４】図１の感情データテーブルを例示する図である。
【図５】図１の携帯端末装置の画像解析モードの一例を示す図である。
【図６】図１の携帯端末装置の画像解析モードの自他識別態様を例示する図である。
【図７】図１の携帯端末装置の音声認識モードの一例を示す図である。
【図８】図１の携帯端末装置の音声認識モードの一例を示す図である。
【図９】図１の携帯端末装置の音声認識モードの補正態様を例示する図である。
【図１０】図１の携帯端末装置のお出掛けモードの一例を示す図である。
【図１１】図１の携帯端末装置の現在地モードの一例を示す図である。
【発明を実施するための形態】
【００２６】
以下に添付図面を参照しながら、本発明の好適な実施形態について詳細に説明する。係る実施形態に示す寸法、材料、その他具体的な数値等は、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また、本発明に直接関係のない要素は図示を省略する。
【００２７】
[概略構成]
図１は、本実施形態にかかる携帯端末装置１００の概略構成を示す機能ブロック図である。また、図２は、図１の携帯端末装置１００の外観図である。図２（ａ）は携帯端末装置１００の正面図であり、図２（ｂ）は携帯端末装置１００の背面図である。まず、図１および図２を参照しながら、携帯端末装置１００の各部構成について説明する。
【００２８】
制御部１０２は、中央処理装置（ＣＰＵ）を含む半導体集積回路により端末全体を管理および制御する。具体的には、記憶部１０４に記憶されたプログラム（アプリケーション）を動作させて、所定の機能を実施する。
【００２９】
本実施形態において、制御部１０２は、画像解析モード（自他認識態様）、音声認識モード（補正態様）、お出掛けモード、現在地モードを遂行する。これらモードの詳細については、後ほど説明する。
【００３０】
記憶部１０４は、ＲＯＭ、ＲＡＭ、ＥＥＰＲＯＭ、不揮発性ＲＡＭ、フラッシュメモリなどで構成され、端末に搭載される各種プログラム（アプリケーション）等を記憶する。
【００３１】
記憶部１０４には、待受画像格納部１０６および感情データテーブル１０８が設けられる。待受画像格納部１０６には、複数の待受画像（壁紙）が格納される。また、待受画像格納部１０６は、待受画像フォルダ１０６ａを有する。
【００３２】
本実施形態において、待受画像フォルダ１０６ａには、待受画像格納部１０６に格納されている待受画像の一部が、ユーザによって、少なくとも「喜」、「怒」、「哀」、「楽」、「一般」に分類されて格納されている。特に、以下では、「喜」としてスマイル待受１２６ｂ（図５）、「哀」として泣き待受１２６ｅ（図８）および応援待受１２６ｆ（図９）、「楽」としてサッカー待受１２６ｄ（図７）、「一般」として猫待受１２６ｇ（図１０）および金閣寺待受１２６ｈ（図１１）を例に挙げて説明する。
【００３３】
図３および図４は、図１の感情データテーブル１０８を例示する図である。図３（ａ）は、感情データテーブル１０８に記憶された特定の事物を例示する図であり、図３（ｂ）は、感情データテーブル１０８に記憶された特定のキーワードを例示する図であり、図３（ｃ）は、感情データテーブル１０８に記憶された特定の加速度範囲を例示する図であり、図３（ｄ）は、感情データテーブル１０８に記憶された特定の位置情報を例示する図である。
【００３４】
図３（ａ）〜（ｄ）に例示するように、感情データテーブル１０８には、特定の事物、特定のキーワード、特定の加速度範囲、特定の位置情報等の参照情報が、それぞれ、所定の感情に関連付けられて記憶されている。例えば「ライオン」という事物は「怒」という感情に分類されている。これは、事物「ライオン」には喜怒哀楽の感情が含まれているが、感情「怒」がその他の感情「喜」「哀」「楽」「一般」に比較して最も多い割合で含まれていることを意味している。これら感情の含まれる割合を感情パラメータと呼ぶ。ここでは、理解を容易にするために、参照情報を「喜」、「怒」、「哀」、「楽」、「一般」の５つの感情に分類して説明するが、実際にはさらに多数の感情に分類してよい。
【００３５】
図４は図３の分類をさらに詳細に示す図である。図４（ａ）は、感情データテーブル１０８に記憶された特定の事物ごとの感情パラメータを例示する図であり、図４（ｂ）は、感情データテーブル１０８に記憶された特定のキーワードごとの感情パラメータを例示する図である。
【００３６】
図４（ａ）および（ｂ）に例示するように、感情データテーブル１０８に記憶された参照情報にはそれぞれ感情パラメータが設定される。例えば、ここでは、犬を「喜:１」、「怒:０」、「哀:０」、「楽:０」、「一般:０」とし、ライオンを「喜:０」、「怒:０．７」、「哀:０」、「楽:０．１」、「一般:０．２」とし、うれしいを「喜:１」、「怒:０」、「哀:０」、「楽:０」、「一般:０」とする。
【００３７】
再び図１および図２を参照する。外部情報取得部１１０は、外部から入力される外部情報を取得する。ここでは、外部情報とは、テキスト情報、被写体を撮像した撮像画像、音声、携帯端末装置１００の加速度、携帯端末装置１００の位置情報を言う。外部情報取得部１１０は、テキスト情報を取得する操作部１１２、撮像画像を取得する撮像部１１４、加速度を取得する加速度センサ１１６、位置情報を取得する無線通信部１１８、位置情報取得部１２０および音声を取得する音声入力部１２２を含んで構成される。
【００３８】
操作部１１２は、キーボード、十字キー、ジョイスティック、タッチパネル等で構成され、ユーザの操作入力を受け付ける。操作部１１２の操作により、感情データテーブル１０８を追加、更新可能としてもよい。
【００３９】
撮像部１１４は、ハードウェアとしてのインカメラユニット（以下インカメラ１１４ａと称する）およびアウトカメラユニット（以下アウトカメラ１１４ｂと称する）であって、レンズや受光素子（ＣＣＤやＣＭＯＳなど）を備えている。
【００４０】
使用者は、操作部１１２を操作して、撮像部１１４により被写体を撮像することができる。撮像部１１４は制御部１０２の制御の下で撮像を行うことも可能である。例えば、制御部１０２は、撮像部１１４のシャッター速度やオートフォーカス、自動露出や自動ホワイトバランスなどの動作制御を行うことができる。
【００４１】
加速度センサ１１６は、３軸加速度センサであって、ＸＹＺ軸の３方向の加速度を検知する。これにより、地球の重力加速度を計測して端末の傾き（姿勢）を検出することも可能である。
【００４２】
無線通信部１１８は、アンテナ１１８ａを介して、ＣＤＭＡやＷｉＭＡＸ（Worldwide Interoperability for Microwave Access）等の無線通信方式にて基地局１１８ｂとの無線通信を確立し、通信相手との音声通信やＷｅｂサーバとのデータ通信を遂行する。
【００４３】
位置情報取得部１２０は、３〜５個のＧＰＳ衛星１２０ａからの信号を受信して、端末の経緯度（位置情報）を取得する。なお、位置情報取得部１２０は、基地局１１８ｂに対して現在の位置情報を要求し、位置情報を取得するようにしてもよい。
【００４４】
音声入力部１２２は、マイク等の音声認識手段で構成され、入力されたユーザの音声を端末内で処理可能な電気信号に変換する。
【００４５】
音声出力部１２４は、スピーカ等で構成され、受信した通話相手の音声信号を音声に変えて出力する。また、音声出力部１２４は、着信音や、操作部１１２の操作音、アラーム音等も出力可能である。
【００４６】
表示部１２６は、液晶ディスプレイ、ＥＬ(Electro Luminescence)ディスプレイ等とそのコントローラで構成され、アプリケーションの動作画面や、通信相手の電話番号、アドレス帳などを表示することができる。また、表示部１２６には、操作部１１２の非操作時等に、待受画像格納部１０６に格納されたいずれかの待受画像が表示される。
【００４７】
図２では、待受画像としてバブル待受１２６ａを表示している。以下理解を容易にするために、携帯端末装置１００では、当初待受画像としてバブル待受１２６ａが表示部１２６に表示されているものとする。
【００４８】
感情判定部１２８は、外部情報取得部１１０が取得した外部情報が、感情データテーブル１０８に記憶された参照情報に該当するか否かの照合を行う。そして、照合の結果、外部情報に含まれる参照情報との一致要素全ての感情パラメータを抽出し、この感情パラメータを演算することにより感情値を判定する。
【００４９】
画像選択部１３０は、感情判定部１２８が判定した感情値に基づいて、表示部１２６に表示される待受画像を待受画像フォルダ１０６ａの中から選択する。格納された待受画像のうち自動で設定されるものは、ユーザが待受画像フォルダ１０６ａに保存したものだけであるため、プライバシーの確保が図られる。
【００５０】
タイマ部１３２は、所定の時間ごとに画像選択部１３０に待受画像を切り替えさせる。これにより、ユーザの待受画像の飽きを防止する。
【００５１】
リセットスイッチ１３４は、ユーザによる押圧を検知して、制御部１０２へと信号を発し現在の待受画像を消去または他の待受画像へと切り替えさせる。これにより、ユーザの好みに合わなかったり、他人に見られたくなかったりする待受画像が表示されたとしても、この画像を消去または他の画像に切り替えることができる。
【００５２】
[画像解析モード]
図５は、携帯端末装置１００の画像解析モードの一例を示す図である。図５（ａ）は被写体として犬１４０ａと朝日１４０ｃを撮像する状態を例示する図であり、図５（ｂ）は図５（ａ）の携帯端末装置１００を例示する図であり、図５（ｃ）は図５（ａ）の撮像後の表示部１２６に表示される待受画像を例示する図である。
【００５３】
画像解析モードでは、撮像部１１４が撮像した撮像画像に基づき、画像選択部１３０が自動で待受画像を設定する。
【００５４】
図５（ａ）および（ｂ）に例示するように、犬１４０ａと朝日１４０ｃをアウトカメラ１１４ｂで撮像すると、感情判定部１２８は、撮像画像に感情データテーブル１０８に記憶された特定の事物が含まれているかどうか画像解析する。
【００５５】
感情判定部１２８は、画像解析（照合）の結果、一致要素である犬１４０ａと朝日１４０ｃの感情パラメータを抽出し、この感情パラメータをスカラー量またはベクトル量として演算して感情値を判定する。ここで、犬１４０ａの感情パラメータは「喜:１」、「怒:０」、「哀:０」、「楽:０」、「一般:０」であり、朝日１４０ｃの感情パラメータは「喜:０．８」、「怒:０」、「哀:０」、「楽:０．２」、「一般:０」である（図４（ａ）参照）。
【００５６】
スカラー量として演算する場合には、「喜」、「怒」、「哀」、「楽」、「一般」のそれぞれの数値を、「喜:１＋０．８」、「怒:０＋０」、「哀:０＋０」、「楽:０＋０．２」、「一般:０＋０」のように積算する。ベクトル量として演算する場合には、犬１４０ａのベクトル（１,０,０,０,０）と朝日１４０ｃのベクトル（０．８,０,０,０．２,０）を合成し、合成ベクトル（１．８,０,０,０．２,０）を求める。
【００５７】
画像選択部１３０は、上記の感情値に基づき、待受画像フォルダ１０６ａに格納されている複数の待受画像の中から、表示部１２６に表示される新たな待受画像を選択する。
【００５８】
感情判定部１２８がスカラー量で演算を行った場合には、画像選択部１３０は「喜」、「怒」、「哀」、「楽」、「一般」のうち、最も数値が高い感情の待受画像を選択する。感情判定部１２８がベクトル量で演算を行った場合には、画像選択部１３０は予めベクトル空間上に割り当てられた「喜」、「怒」、「哀」、「楽」、「一般」の分布域のいずれに合成ベクトルが該当するかを判断して、その該当する感情の待受画像を選択する。
【００５９】
上記では、犬１４０ａと朝日１４０ｃがともに「喜」の感情を表す特定の事物であるため、「喜」の待受画像が選択される。すなわち、図５（ｃ）に例示するように、ユーザが撮像部１１４の動作画面を終了させると、待受画像として以前に設定されていたバブル待受１２６ａではなく、「喜」の待受画像としてスマイル待受１２６ｂが表示される。これより、違和感を与えることなく、ユーザに楽しさや新鮮さを味わわせることができる。
【００６０】
（自他識別態様）
図６は、携帯端末装置１００の画像解析モードの自他識別態様を例示する図である。図６（ａ）はインカメラ１１４ａによって被写体としてユーザ１４０ｂ自身を撮像する状態を例示する図であり、図６（ｂ）は図６（ａ）の撮像後の表示部１２６に表示される待受画像を例示する図である。
【００６１】
インカメラ１１４ａを用いて、撮像を実施する場合には、ユーザ１４０ｂ自身を撮像することがほとんどであると想定される。そこで、インカメラ１１４ａによって撮像が実施された場合には、画像選択部１３０が特定の待受画像（撮像確認画像１２６ｃ）を表示部１２６に表示させるように構成してもよい。
【００６２】
[音声認識モード]
図７および図８は、携帯端末装置１００の音声認識モードの一例を示す図である。図７（ａ）は音声認識モード起動時にユーザ１４０ｂの音声が音声入力部１２２に入力された状態を例示する図であり、図７（ｂ）は図７（ａ）の入力後に表示部１２６に表示される待受画像を例示する図である。
【００６３】
音声認識モードでは、音声入力部１２２に入力された音声に基づき、画像選択部１３０が自動で待受画像を設定する。
【００６４】
音声認識モード起動時にユーザ１４０ｂが音声入力部１２２に音声を入力すると、感情判定部１２８は、入力された音声に感情データテーブル１０８に記憶された特定のキーワードが含まれているかどうか音声解析する。ここでは、ユーザ１４０ｂが発した「楽しい」という音声に基づき、「楽」の感情値が判定される。
【００６５】
画像選択部１３０は、上記「楽」の感情値に基づき、待受画像フォルダ１０６ａに格納されている複数の待受画像の中から「楽」の画像を選択し、表示部１２６に表示される新たな待受画像として設定する。すなわち、「楽」の待受画像としてサッカー待受１２６ｄが表示される。
【００６６】
図８（ａ）は音声認識モードにおいて通話中の音声を識別する状態を例示する図であり、図８（ｂ）は図８（ａ）の後に表示部１２６に表示される待受画像を例示する図である。図８（ａ）および（ｂ）に例示するように、通話中にユーザが発した音声に基づき待受画像を切り替え、通話を終了したユーザに視認させてもよい。ここでは、ユーザ１４０ｂが「送別会」と発しているので、表示部１２６には「哀」の画像である泣き待受１２６ｅが表示される。
【００６７】
（補正態様）
図９は、携帯端末装置１００の音声認識モードの補正態様を例示する図である。図９（ａ）は音声認識モード（補正態様）において通話中の音声を識別する状態を例示する図であり、図９（ｂ）は図９（ａ）の後に表示部１２６に表示される待受画像を例示する図である。
【００６８】
音声認識モードの補正態様として、ユーザ１４０ｂが発した音声に複数の「哀」のキーワードが含まれる場合には、画像選択部１３０は新たな待受画像としてユーザ１４０ｂを励ます応援待受１２６ｆを表示させるとよい。
【００６９】
具体的には、感情判定部１２８による感情パラメータの演算の結果、「哀」の感情値が所定の閾値を超えた場合に、上記のように応援待受１２６ｆを表示させるようにすることができる。
【００７０】
[お出掛けモード]
図１０は、携帯端末装置１００のお出掛けモードの一例を示す図である。図１０（ａ）はお出掛けモード起動時にユーザ１４０ｂが自動車に搭乗している状態を例示する図であり、図１０（ｂ）は図１０（ａ）の携帯端末装置１００の表示部１２６に表示される待受画像を例示する図である。
【００７１】
お出掛けモードでは、加速度センサ１１６が検知する加速度に基づき、画像選択部１３０が自動で待受画像を設定する。
【００７２】
お出掛けモード起動時にユーザ１４０ｂが自動車や新幹線、飛行機に搭乗したりすると、感情判定部１２８は、加速度センサ１１６によって検知される加速度が感情データテーブル１０８に記憶された特定の加速度範囲かどうかを判定する。ここでは、加速度センサ１１６が加速度０．２Ｇを検知して、感情判定部１２８は「一般」の感情値を判定するものとする。
【００７３】
画像選択部１３０は、上記「一般」の感情値に基づき、待受画像フォルダ１０６ａに格納されている複数の待受画像の中から「一般」の画像を選択し、表示部１２６に表示される新たな待受画像として設定する。ここでは、「一般」の待受画像として猫待受１２６ｇが表示される。
【００７４】
[現在地モード]
図１１は、携帯端末装置１００の現在地モードの一例を示す図である。図１１（ａ）は、現在地モード起動時にユーザ１４０ｂが京都駅に到着した状態を例示する図であり、図１１（ｂ）は図１１（ａ）の携帯端末装置１００の表示部１２６に表示される待受画像を例示する図である。
【００７５】
現在地モードでは、位置情報取得部１２０が取得する位置情報に基づき、画像選択部１３０が自動で待受画像を設定する。
【００７６】
現在地モード起動時には、感情判定部１２８は、位置情報取得部１２０が取得する位置情報に感情データテーブル１０８に記憶された特定の位置情報が含まれているかどうか適宜確認する。ここでは、ユーザ１４０ｂが京都駅にいるので、感情判定部１２８は「一般」の感情値を判定する。
【００７７】
画像選択部１３０は、上記「一般」の感情値に基づき、待受画像フォルダ１０６ａに格納されている複数の待受画像の中から「一般」の画像を選択する。ここで、本実施形態では、画像選択部１３０はさらに位置情報に基づき、待受画像フォルダ１０６ａをファイル名検索し、その場所に合った一般の画像を表示させる。ここでは、「一般」の待受画像として金閣寺待受１２６ｈが表示される。
【００７８】
以上、上述した構成によれば、外部から入力される外部情報よりユーザの感情を読み取って、その場に合った待受画像を自動的に設定することができる。これより、違和感を与えることなく、ユーザに楽しさや新鮮さを味わわせることができる。
【００７９】
なお、感情判定部１２８は、メールに含まれる絵文字やキーワードに基づき、感情値を判定してもよい。そして、画像選択部１３０がこの感情値に基づき、待受画像を選択してもよい。
【００８０】
以上、本発明の好適な実施形態について詳細に説明したが、本発明は係る実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００８１】
本発明は、携帯電話やＰＨＳなどの携帯端末装置に利用可能である。
【符号の説明】
【００８２】
１００…携帯端末装置、１０２…制御部、１０４…記憶部、１０６…待受画像格納部、１０６ａ…待受画像フォルダ、１０８…感情データテーブル、１１０…外部情報取得部、１１２…操作部、１１４…撮像部、１１４ａ…インカメラ、１１４ｂ…アウトカメラ、１１６…加速度センサ、１１８…無線通信部、１１８ａ…アンテナ、１１８ｂ…基地局、１２０…位置情報取得部、１２０ａ…ＧＰＳ衛星、１２２…音声入力部、１２４…音声出力部、１２６…表示部、１２６ａ…バブル待受、１２６ｂ…スマイル待受、１２６ｃ…撮像確認画像、１２６ｄ…サッカー待受、１２６ｅ…泣き待受、１２６ｆ…応援待受、１２６ｇ…猫待受、１２６ｈ…金閣寺待受、１２８…感情判定部、１３０…画像選択部、１３２…タイマ部、１４０ａ…犬、１４０ｂ…ユーザ、１４０ｃ…朝日
【図１】
2011176564.tif 000003
【図２】
2011176564.tif 000004
【図３】
2011176564.tif 000005
【図４】
2011176564.tif 000006
【図５】
2011176564.tif 000007
【図６】
2011176564.tif 000008
【図７】
2011176564.tif 000009
【図８】
2011176564.tif 000010
【図９】
2011176564.tif 000011
【図１０】
2011176564.tif 000012
【図１１】
2011176564.tif 000013